(57)【要約】【課題】吐水された洗浄水が、ボウル部の外部へ飛び出すことを防止することができると共に、効果的に洗浄を行うことができる小便器を提供する。【解決手段】本発明は、洗浄水によりボウル部８を洗浄する小便器１であって、小便を受けるボウル部８と、ボウル部８内の上方領域に設けられてボウル部８へ洗浄水を吐水する吐水装置２８と、を有し、吐水装置２８は、洗浄水をボウル部８のほぼ中央領域に向けて吐水する第１吐水口部３４と、洗浄水をボウル部８のほぼ中央領域より広範囲の左右領域に広がるように吐水する第２吐水口部３６と、を備え、第２吐水口部３６から吐水される洗浄水の瞬間流量が、第１吐水口部３４から吐水される洗浄水の瞬間流量よりも低く設定されていることを特徴としている。【選択図】図９
2015190246.tif 000002
【特許請求の範囲】
【請求項１】
洗浄水によりボウル部を洗浄する小便器であって、
小便を受ける上記ボウル部と、
上記ボウル部内の上方領域に設けられて上記ボウル部へ洗浄水を吐水する吐水装置と、を有し、
上記吐水装置は、
洗浄水を上記ボウル部のほぼ中央領域に向けて吐水する第１吐水口部と、
洗浄水を上記ボウル部のほぼ中央領域より広範囲の左右領域に広がるように吐水する第２吐水口部と、を備え、
上記第２吐水口部から吐水される洗浄水の瞬間流量が、上記第１吐水口部から吐水される洗浄水の瞬間流量よりも低く設定されていることを特徴とする小便器。
【請求項２】
上記吐水装置の上記第２吐水口部は、上記吐水装置の前方から見て、自身の少なくとも一部が上記第１吐水口部と前後方向で重なるように配置されている請求項１に記載の小便器。
【請求項３】
上記吐水装置の上記第２吐水口部は、流路を形成する左右の上壁が外側に行くにつれて上方に向かうように形成されている請求項１又は２に記載の小便器。
【請求項４】
さらに、
給水源からの洗浄水を供給する主流路と、
上記主流路に接続され、上記第１吐水口部に洗浄水を供給する第１供給通路と、
上記主流路に接続され、上記第２吐水口部に洗浄水を供給する第２供給通路と、
上記第１供給通路に設けられ、上記第１供給通路の洗浄水の瞬間流量を調整する第１流量調整手段と、
上記第２供給通路に設けられ、上記第１供給通路の洗浄水の瞬間流量よりも低くなるように、上記第２供給通路の洗浄水の瞬間流量を調整する第２流量調整手段と、を備えている請求項１乃至３の何れか１項に記載の小便器。
【請求項５】
上記吐水装置の上記第２吐水口部の吐水範囲が上記第１吐水口部の吐水範囲よりも広く設定され、且つ、上記第２吐水口部の吐水範囲が上記第１吐水口部の吐水範囲を全て含むように設定されている、請求項１乃至４の何れか１項に記載の小便器。
【請求項６】
さらに、使用者が小便器を使用したときに洗浄水を上記第２吐水口部から吐水させ、使用者が小便器を使用したときとは別に、所定時間が経過する毎に洗浄水を上記第１吐水口から吐水させるように吐水を制御する制御部を備えている、請求項１乃至５の何れか１項に記載の小便器。
【発明の詳細な説明】
【技術分野】
【０００１】
本発明は、小便器に係り、特に、吐水装置（スプレッダ）から吐水された洗浄水によりボウル部を洗浄する小便器に関する。
【背景技術】
【０００２】
近年、小便器の吐水装置（スプレッダ）は、意匠性の良さからコンパクトなものが普及している。
その一方で、吐水装置に、小便器のボウル面を広範囲に亘って洗浄できる性能が求められている。
【０００３】
従来から、例えば、特許文献１に記載されたような、洗浄ノズルにおいて、側方への吐出口と、下方への吐出口との複数の吐出口が形成され、切り換え弁が同じ所定の流量の洗浄水が吐出される複数の吐出口を切り替えるものが知られている。
【０００４】
また、特許文献２に記載されたような、洗浄用ノズル頭部において、第１の放水流路と、第１の放水流路と吐水範囲の異なる第２の放水流路とが形成され、共通する１つの供給流路から、単位面積あたりの瞬間流量が同じ洗浄水が第１の放水流路と第２の放水流路とに供給されるものが知られている。
【先行技術文献】
【特許文献】
【０００５】
【特許文献１】特開２００４−１５００１３号公報
【特許文献２】特開平８−２３９８８９号公報
【発明の概要】
【発明が解決しようとする課題】
【０００６】
しかしながら、小便器においては、陰毛等の異物除去等の設備保護洗浄のために高い瞬間流量で洗浄水を吐水しなければならないという要請もある。
このような要請に基づき、従来のコンパクトな吐水装置を用いて、ボウル面の広範囲に高い瞬間流量で吐水するとき、吐水された洗浄水の一部がボウル面の外へ飛び出すという問題が生じている。
さらに、ボウル部の左右両端に設けられた従来の側壁を設けていない小便器、すなわち、ボウル部の正面が連続した曲面により形成されているような小便器において、吐水装置がボウル面の広範囲に高い瞬間流量で吐水するときには、さらに、吐水された洗浄水の一部がボウル面の外へ飛び出しやすくなるという問題が生じている。
【０００７】
本発明は、上述した問題を解決するためになされたものであり、比較的高い瞬間流量の洗浄水をボウル部のほぼ中央領域に向けて吐水する第１吐水口部と、比較的低い瞬間流量の洗浄水をボウル部のほぼ中央領域より広範囲の左右領域に広がるように吐水する第２吐水口部と、を備えることにより、吐水された洗浄水が、ボウル部の外部へ飛び出すことを防止することができると共に、効果的に洗浄することができる小便器を提供することを目的としている。
【課題を解決するための手段】
【０００８】
上記の目的を達成するために、本発明は、洗浄水によりボウル部を洗浄する小便器であって、小便を受けるボウル部と、ボウル部内の上方領域に設けられてボウル部へ洗浄水を吐水する吐水装置と、を有し、吐水装置は、洗浄水をボウル部のほぼ中央領域に向けて吐水する第１吐水口部と、洗浄水をボウル部のほぼ中央領域より広範囲の左右領域に広がるように吐水する第２吐水口部と、を備え、第２吐水口部から吐水される洗浄水の瞬間流量が、第１吐水口部から吐水される洗浄水の瞬間流量よりも低く設定されていることを特徴としている。
このように構成された本発明においては、第１吐水口部が比較的高い瞬間流量の洗浄水をボウル部のほぼ中央領域に向けて吐水する。これにより、吐水された洗浄水が、ボウル部の外部へ飛び出すことを防止することができると共に、小便器の排水配管の尿の排出及び陰毛等の異物を除去することができ、小便器の排水配管の設備保護洗浄をすることができる。また、第２吐水口部が比較的低い瞬間流量の洗浄水をボウル部のほぼ中央領域より広範囲の左右領域に広がるように吐水する。従って、吐水された洗浄水が、ボウル部の外部へ飛び出すことを防止することができると共に、ボウル部の中央領域より広範囲の左右領域まで広範囲にわたって洗浄することができる。従って、小便器を効果的に洗浄することができる。
【０００９】
本発明において、好ましくは、吐水装置の第２吐水口部は、吐水装置の前方から見て、自身の少なくとも一部が第１吐水口部と前後方向で重なるように配置されている。
このように構成された本発明においては、第２吐水口部の少なくとも一部が第１吐水口部と前後方向で重なるように配置されているので、第１吐水口部と第２吐水口部とを有する吐水装置をコンパクトに形成することができると共に、吐水装置の前方から見て、第１吐水口部から洗浄水が吐水される領域と、第２吐水口部から洗浄水が吐水される領域との間に、洗浄水が吐水されない隙間領域が生じることを防ぐことができる。従って、ボウル部において洗浄が行われない部分を生じにくくすることができ、ボウル部が洗浄不良となることを防ぐことができる。
【００１０】
本発明において、好ましくは、吐水装置の第２吐水口部は、流路を形成する左右の上壁が外側に行くにつれて上方に向かうように形成されている。
このように構成された本発明においては、洗浄水が、第２吐水口部から、左右の上壁に沿って上方向きに吐水されるため、吐水装置の左右の斜め上方の領域までボウル部を広範囲にわたって洗浄することができる。
【００１１】
本発明において、好ましくは、さらに、給水源からの洗浄水を供給する主流路と、主流路に接続され、第１吐水口部に洗浄水を供給する第１供給通路と、主流路に接続され、第２吐水口部に洗浄水を供給する第２供給通路と、第１供給通路に設けられ、第１供給通路の洗浄水の瞬間流量を調整する第１流量調整手段と、第２供給通路に設けられ、第１供給通路の洗浄水の瞬間流量よりも低くなるように、第２供給通路の洗浄水の瞬間流量を調整する第２流量調整手段と、を備えている。
このように構成された本発明においては、共通の主流路から供給される洗浄水の瞬間流量に対し、比較的簡易な構造で、第２供給通路の洗浄水の瞬間流量を、第１供給通路の洗浄水の瞬間流量よりも低く調整することができ、第２吐水口部から吐水される洗浄水の瞬間流量を、第１吐水口部から吐水される洗浄水の瞬間流量よりも低く設定することができる。
【００１２】
本発明において、好ましくは、吐水装置の第２吐水口部の吐水範囲が第１吐水口部の吐水範囲よりも広く設定され、且つ、第２吐水口部の吐水範囲が第１吐水口部の吐水範囲を全て含むように設定されている。
このように構成された本発明においては、第２吐水口部から吐水された洗浄水が、第１吐水口部の吐水範囲を全て含むように、ボウル部全体を広範囲にわたって洗浄することができる。
【００１３】
本発明において、好ましくは、さらに、使用者が小便器を使用したときに洗浄水を第２吐水口部から吐水させ、使用者が小便器を使用したときとは別に、所定時間が経過する毎に洗浄水を第１吐水口から吐水させるように吐水を制御する制御部を備えている。
このように構成された本発明においては、制御部は、使用者が小便器を使用したときに洗浄水を第２吐水口部から吐水させることができ、ボウル部の中央領域より広範囲の左右領域まで広範囲にわたって洗浄することができる。また、制御部は、使用者が小便器を使用したときとは別に、所定時間が経過する毎に洗浄水を第１吐水口部から吐水させることができ、小便器の排水配管の尿の排出及び陰毛等の異物を除去することができ、小便器の排水配管の設備保護洗浄をすることができる。
【発明の効果】
【００１４】
本発明の小便器によれば、吐水された洗浄水が、ボウル部の外部へ飛び出すことを防止することができると共に、効果的に洗浄を行うことができる。
【図面の簡単な説明】
【００１５】
【図１】本発明の実施形態による小便器を示す全体斜視図である。
【図２】図１の小便器の正面図である。
【図３】図１の小便器の側面図である。
【図４】図２のIV-IV線に沿って見た縦断面図である。
【図５】図１の小便器の平面図である。
【図６】本発明の実施形態による小便器のスプレッダを示す斜視図である。
【図７】本発明の実施形態による小便器のスプレッダをボウル面に取付けた状態を側方から示す概略図である。
【図８】本発明の実施形態による小便器のスプレッダをボウル面に取付けた状態を上方から示す概略図である。
【図９】図８のIX-IX線に沿って見た断面図である。
【図１０】本発明の実施形態による小便器の自動便器洗浄ユニットの流路の構成を示す概略図である。
【図１１】図７のXI-XI線に沿って見た断面図である。
【図１２】図７のXII-XII線に沿って見た断面図である。
【発明を実施するための形態】
【００１６】
添付図面を参照して、本発明の実施形態による小便器を説明する。先ず、図１乃至図５により小便器の基本構造を説明する。図１は本発明の実施形態による小便器を示す全体斜視図であり、図２は図１の小便器の正面図であり、図３は図１の小便器の側面図であり、図４は図２のIV-IV線に沿って見た縦断面図であり、図５は図１の小便器の平面図である。
【００１７】
図１乃至図５に示すように、符号１は、本発明の実施形態による小便器を示し、この小便器１は、陶器製の小便器本体２と、この小便器本体２を洗浄するための自動便器洗浄ユニット４（図２及び図３に図示され、他の図面においては省略する）を備えている。小便器１は自身の最下部が床面から浮かされた状態となるように背後の壁面に沿って取付けられる壁掛け式の小便器であるが、小便器１は床面上に直接配置される床置き式の小便器であってもよい。
【００１８】
小便器１の小便器本体２は、上方端に上述した自動便器洗浄ユニット４を収納するための収納室６（図２及び図３に概略により図示され、他の図面においては省略する）と、この収納室６の前面７から下方に延びるボウル面８と、このボウル面８の底部に形成された排出口１０とを備えている。
【００１９】
収納室６は、小便器本体２と別体である蓋３により形成されている。また、収納室６の前面７は、詳細は後述するように、後方に向かって傾斜して形成されている。また、排出口１０には、目皿板１２が配置されている。さらに、排出口１０は、下流側に配置された排水トラップ管路（図示せず）及び排水配管（図示せず）に接続されている。
【００２０】
次に、図２乃至図１０により、自動便器洗浄ユニット４について説明する。図６は本発明の実施形態による小便器のスプレッダを示す斜視図であり、図７は本発明の実施形態による小便器のスプレッダをボウル面に取付けた状態を側方から示す概略図であり、図８は本発明の実施形態による小便器のスプレッダをボウル面に取付けた状態を上方から示す概略図であり、図９は図８のIX-IX線に沿って見た断面図であり、図１０は本発明の実施形態による小便器の自動便器洗浄ユニットの流路の構成を示す概略図である。
【００２１】
自動便器洗浄ユニット４は、水道等の給水源から洗浄水を供給する主給水管１４と、
主給水管１４から分岐される第１給水管１６と、主給水管１４から分岐される第２給水管１８と、第１給水管１６に設けられる第１流量調整装置２０と、第１給水管１６に取り付けられ給水の供給及び停止を行う第１開閉弁２２と、第２給水管１８に設けられる第２流量調整装置２４と、第２給水管１８に取り付けられ給水の供給及び停止を行う第２開閉弁２６と、第１給水管１６及び第２給水管１８の先端に取り付けられた吐水部であるスプレッダ２８と、使用者の有無を検知する人体検知センサ３０と、人体検知センサ３０からの検知信号及び所定の制御プログラム等に基づいて第１開閉弁２２、第２開閉弁２６等を制御することができる制御ユニット３２と、を備えている。
【００２２】
第１流量調整装置２０は、第１給水管１６内を通過する洗浄水を適正な一定流量に調整することができる定流量弁である。第１流量調整装置２０は、流量センサ等を使用して洗浄水を適正な流量に調整することができる他の装置により構成されてもよい。第１流量調整装置２０は、制御ユニット３２により制御されるように構成されてもよい。第１流量調整装置２０は、後述する下流側の第１供給通路３８に供給する洗浄水の瞬間流量（単位時間あたりの流量）を、比較的高い瞬間流量の範囲、例えば、８〜１７L/minの範囲、好ましくは１１〜１３L/minの範囲に調整するようになっている。
第１開閉弁２２は、制御ユニット３２の制御信号により第１給水管１６の流路を開閉する電磁弁である。第１開閉弁２２は、給水の供給及び停止を行うことができる他の流路開閉装置により構成されてもよい。
【００２３】
第２流量調整装置２４は、第２給水管１８内を通過する洗浄水を適正な一定流量に調整することができる定流量弁である。第２流量調整装置２４は、流量センサ等を使用して洗浄水を適正な流量に調整することができる他の装置により構成されてもよい。第２流量調整装置２４は、制御ユニット３２により制御されるように構成されてもよい。第２流量調整装置２４は、後述する下流側の第２供給通路４０に供給する洗浄水の瞬間流量を、比較的低い瞬間流量の範囲、例えば、２〜８L/minの範囲、好ましくは５〜７L/minの範囲に調整するようになっている。
第２開閉弁２６は、制御ユニット３２の制御信号により第２給水管１８の流路を開閉する電磁弁である。第２開閉弁２６は、給水の供給及び停止を行うことができる他の流路開閉装置により構成されてもよい。
【００２４】
上述した図１０に示す本実施形態においては、自動便器洗浄ユニット４は、第１給水管１６に取り付けられ給水の供給及び停止を行う第１開閉弁２２と、第２給水管１８に取り付けられ給水の供給及び停止を行う第２開閉弁２６とを備え、制御ユニット３２が第１開閉弁２２を開閉して第１供給通路３８への洗浄水の供給開始及び停止を制御し、第２開閉弁２６を開閉して第２供給通路４０への洗浄水の供給開始及び停止を制御している。
しかしながら、本実施形態においては、変形例として、自動便器洗浄ユニット４は、上述した第１開閉弁２２及び第２開閉弁２６に代えて、主給水管１４と第１給水管１６及び第２給水管１８との分岐箇所に３方切換弁等の切換弁を設けるようにしてもよい。具体的には、主給水管１４と第１給水管１６及び第２給水管１８との分岐箇所に設けられた切換弁を、制御ユニット３２によって制御することにより、第１給水管１６並びに第１供給通路３８への洗浄水の供給開始及び停止、第２給水管１８並びに第２供給通路４０への洗浄水の供給開始及び停止、をそれぞれ独立して制御することができる。他の変形例として、自動便器洗浄ユニット４は、上述した第１開閉弁２２及び第２開閉弁２６に代えて、第１給水管１６並びに第１供給通路３８への洗浄水の供給開始及び停止、第２給水管１８並びに第２供給通路４０への洗浄水の供給開始及び停止、をそれぞれ独立して制御することができる他の弁構造及びこれらの組合せ構造を有していてもよい。
【００２５】
人体検知センサ３０は、小便器１の前方の使用者の有無及び使用者までの距離を検知する赤外線式のセンサである。この人体検知センサ３０により使用者が用を足して小便器１から所定距離離れたことを検知した場合に、制御ユニット３２から操作信号が発信され、この操作信号により、第２開閉弁２６が開となり、第２給水管１８からスプレッダ２８に洗浄水が供給され、小便器１のボウル面８が洗浄されるようになっている。なお、人体検知センサ３０は、赤外線式のセンサに限定されず、隠蔽可能な電波式センサ（マイクロ波センサ）であっても良い。
制御ユニット３２は、人体検知センサ３０の使用者の有無の検知結果を受けて、第２開閉弁２６を開閉させる制御を行う他、予め設定された所定時間、例えば２時間等の時間が経過するごとに、制御ユニット３２から操作信号が発信され、この操作信号により、第１開閉弁２２を開状態とする制御を行う。これにより、洗浄水が、第１給水管１６からスプレッダ２８に供給され、小便器１のボウル面８が洗浄され、排出口１０の下流側に配置された排水トラップ（図示せず）及び排水管路（図示せず）内の雑菌の繁殖を抑制し、尿石等の付着を抑制する設備保護洗浄を行えるようになっている。
【００２６】
再び、図１乃至図５に戻り、小便器１の小便器本体２の詳細構造を説明する。先ず、図２及び図３に示すように、本実施形態による小便器１は、自動便器洗浄ユニット４が小便器本体２の上方端に形成された収納室６内に収納されたタイプの小便器である。本実施形態においては、このようなタイプの小便器１において、小便器本体２の収納室６の前面７がボウル面８と連続し且つ後方に向かって傾斜して形成されている。小便器本体２において、収納室６の前面７は、ボウル面８と一体構造となっている。さらに、収納室６の前面７は、ボウル面８の上方側と連続して形成され、さらに、後方に向かって傾斜して形成されている。ここで、収納室６の前面７とボウル面８の「連続」は、収納室６の前面７とボウル面８が、面一に、又は、ほぼ面一に形成されていることを意味している。また、完全な面一である必要はなく、例えば、小さな段差があってもよく、収納室６の前面からボウル面８へと流れる洗浄水が剥離することがなければ良い。
【００２７】
ボウル面８は、その上部から下部まで、前面が使用者に対向するように開いた円弧形状（アーチ形状）の正面部８ａを有している。ボウル面８は、ボウル面８のうち、スプレッダ２８が設けられている上方領域において、従来のようなボウル面から前方に壁状に突出する側面部が設けられておらず、正面部８ａのみから形成されている。このような正面部８ａは自身の曲面の接線の垂線が小便器本体２の前方に立っている使用者に向かう方向に延びるような前向きの曲面を形成している。
【００２８】
ボウル面８の正面部８ａは、左右方向に連続した凹曲面で形成されている。この正面部８ａは、使用者の胴体の曲面を受け入れやすいように使用者の胴体の曲面に沿うような湾曲面である。ボウル面８の正面部８ａのみから形成されている上方領域は、平面視において、ボウル面８の左側端部８ｂから右側端部８ｃまで１つの曲率半径Ｒで描かれる１つの円弧（曲率半径Ｒが途中で概ね変化しないような１つの円弧であり、シングルＲと称される円弧）に沿って形成され、その弧の中央部が後方側に配置されているシングルＲ領域８ｇを形成している。すなわち、シングルＲ領域８ｇにおいては曲面がほぼ単一の曲率半径Ｒを有するほぼ単一の円弧形状により形成されている。このシングルＲ領域８ｇにおいては、ボウル面８の上端８ｄから下方に向かうにつれて、円弧の曲率半径が徐々に減少するように形成され、曲率が徐々に増大するように形成されている。ボウル面８のシングルＲ領域８ｇは、少なくともボウル面８の上端から２００ｍｍの範囲、好ましくは上端から３００ｍｍの範囲の領域において形成されている。ボウル面８のシングルＲ領域８ｇよりさらに下方の領域は、２種類の曲率半径Ｒを有する円弧の組み合わせ、又は円弧と直線との組み合わせによる複合的な形状部分である複合Ｒ領域８ｈを形成している。
【００２９】
具体的には、図１に示すように、ボウル面８は、シングルＲ領域８ｇにおける、ボウル面８の上端８ｄからの距離Ｌ１（Ｌ１＝１５０ｍｍ）の位置、すなわち収納室６の前面７且つスプレッダ近傍の高さ位置において、平面視で、大きな曲率半径である曲率半径Ｒ１（Ｒ１＝３００ｍｍ）による単一の曲率半径の円弧により形成される正面部８ａにより形成されている。また、ボウル面８は、シングルＲ領域８ｇにおける、ボウル面８の上端８ｄからの距離Ｌ２（Ｌ２＝３００ｍｍ）の位置において、平面視で、曲率半径Ｒ１よりも小さな曲率半径である曲率半径Ｒ２（Ｒ２＝２００ｍｍ）による単一の曲率半径の円弧により形成される正面部８ａにより形成されている。シングルＲ領域８ｇにおける正面部８ａの曲率半径は、例えば、２００〜５００ｍｍの範囲、好ましくは２００〜４００ｍｍの範囲に設定されるようになっている。
【００３０】
ボウル面８は、複合Ｒ領域８ｈにおける、ボウル面８の上端８ｄからの距離Ｌ３（Ｌ３＝４５０ｍｍ）の位置においては、平面視で、２種類の曲率半径を有する円弧を組み合わせた複合的な円弧形状を有している正面部８ａにより形成されている。
ボウル面８は、さらに下部の複合Ｒ領域においては、左側端部８ｂと右側端部８ｃとが前方に延び、中央部８ｅが後方側に後退し、例えば、ボウル面８の上端８ｄからの距離Ｌ４（Ｌ４＝５００ｍｍ）の位置においては、平面視で、使用者に向かう方向に開くような円弧形状部分８ｇ（正面部８ａ）とその両側に延びる直線部分８ｈ（側面部）とにより形成されている。
【００３１】
ボウル面８は、ある水平断面において、左側端部８ｂと右側端部８ｃとは中央部８ｅよりも前方に突出するように配置されている。さらに、ボウル面８の正面部８ａは、下方に向かうにつれて、左側端部８ｂと右側端部８ｃとが徐々に前方に突出するように配置されている。
また、ボウル面８は、ボウル面８の上端８ｄから下方に向けて後方に向かって傾斜して形成されている。従って、その正面部８ａの中央部８ｅは、上端８ｄから下方に向けて徐々に後退するように奥側に形成されている。また、スプレッダ２８が中央部８ｅにやや後方側に配置されているので、使用者が正面部８ａに近づきやすくなっている。
【００３２】
ボウル面８は、下部においては、左側端部８ｂと右側端部８ｃとが先端８ｆに向かって前方に突出されている。ボウル面８の上部においては使用者がボウル面８に近づけるようになっているのに対し、ボウル面８下部の先端８ｆが使用者側に突出しているので、使用者の尿が床に垂れて床を汚す汚垂れを生じさせにくくなっている。ボウル面８の下部は、その下方側において、流下する洗浄水を集めて排出口１０に導くように形成されている。
【００３３】
次に、図６乃至図１２に戻り、スプレッダ２８の詳細構造を説明する。
図６は本発明の実施形態による小便器のスプレッダを示す斜視図であり、図７は本発明の実施形態による小便器のスプレッダをボウル面に取付けた状態を側方から示す概略図であり、図８は本発明の実施形態による小便器のスプレッダをボウル面に取付けた状態を上方から示す概略図であり、図９は図８のIX-IX線に沿って見た断面図であり、図１０は本発明の実施形態による小便器の自動便器洗浄ユニットの流路の構成を示す概略図であり、図１１は図７のXI-XI線に沿って見た断面図であり、図１２は図７のXII-XII線に沿って見た断面図である。
図７等に示すように、この自動便器洗浄ユニット４において、スプレッダ２８が、小便器本体２の正面部８ａの収納室６の前面７に取り付けられている。
スプレッダ２８は、洗浄水をボウル面８のほぼ中央領域に向けて吐水する第１吐水口部３４と、第１吐水口部３４よりも後方側に配置され、洗浄水をボウル面８のほぼ中央領域より広範囲の左右領域に広がるように吐水する第２吐水口部３６と、第１吐水口部３４に洗浄水を供給する第１供給通路３８と、第２吐水口部３６に洗浄水を供給する第２供給通路４０と、を備えている。
【００３４】
第１供給通路３８は、第１給水管１６の先端に接続され、第２供給通路４０とは独立した通水路を形成している。第１供給通路３８は、比較的高い瞬間流量の洗浄水を第１吐水口部３４に供給する。第２供給通路４０は、第２給水管１８の先端に接続され、第１供給通路３８とは独立した通水路を形成している。第２供給通路４０は、比較的低い瞬間流量の洗浄水を第２吐水口部３６に供給する。第１供給通路３８と第２供給通路４０とは、スプレッダ２８内において、互いに平行に、ボウル面８の裏側から表側まで直線的に延びている。
【００３５】
第１吐水口部３４は、その第１吐水口部３４の左右両端を形成する第１吐水口上壁３４ａと、その第１吐水口部３４の前側の壁面を形成する第１吐水口前壁３４ｂと、その第１吐水口部３４の後側の壁面を形成する第１吐水口後壁３４ｃとを備えている。第１吐水口部３４は、スプレッダ２８の下部の、左右の第１吐水口上壁３４ａとの間において、第１吐水口前壁３４ｂと第１吐水口後壁３４ｃとの間の扇形の第１開口通路３４ｄを形成している。
第１吐水口部３４は、鉛直下方から左右対称におよそ４０°の位置に第１吐水口上壁３４ａが形成されている。従って、左右の第１吐水口上壁３４ａの間の角度Ａ１は約８０°に形成されている。左右の第１吐水口上壁３４ａの間の角度Ａ１は、例えば、５０°〜１２０°の範囲、好ましくは６０°〜９０°の範囲に形成されている。第１吐水口上壁３４ａは、第１吐水口部３４の開口通路３４ｄの上端を形成するので、第１吐水口部３４から吐水される洗浄水が左右の第１吐水口上壁３４ａに沿って吐水され、第１吐水口部３４から吐水される洗浄水の広がりの上縁を規制している。また、第１吐水口上壁３４ａは、水平より下方向きに延びているので、第１吐水口部３４から流出する洗浄水の単位面積あたりの瞬間流量が増大される場合にも、洗浄水の左右方向への広がりを抑制することができる。
【００３６】
第１吐水口前壁３４ｂは、扇形に形成され、開口通路３４ｄの前面を形成し、第１供給通路３８から供給された洗浄水を、自身に衝突させて開口通路３４ｄの扇形領域に広がるように流すことができるようになっている。第１吐水口前壁３４ｂは、後方に向かって傾斜して形成されている。
第１吐水口後壁３４ｃは、その中央上部において第１供給通路３８と接続されている。この第１吐水口後壁３４ｃは、扇形に形成され、第１吐水口部３４の後面を形成し、第１吐水口前壁３４ｂとの間で、第１供給通路３８から供給された洗浄水を、第１吐水口部３４の扇形領域に広がるように流すことができるようになっている。第１吐水口後壁３４ｃは、第１吐水口前壁３４ｂと平行に延び、後方に向かって傾斜して形成されている。第１吐水口後壁３４ｃの後方への傾斜角は、第１吐水口後壁３４ｃの近傍のボウル面８の後方への傾斜角よりも大きくされている。よって、第１吐水口部３４から収納室６の前面７に向けて洗浄水が吐水されるようになっている。
【００３７】
第２吐水口部３６は、右側の第２右側吐水口部３６ｒと、左側の第２左側吐水口部３６ｌとにより形成されている。本実施形態においては、第２吐水口部３６は、第２右側吐水口部３６ｒと、第２左側吐水口部３６ｌとの２つの開口に分かれて形成されているが、第２右側吐水口部３６ｒと第２左側吐水口部３６ｌとを合わせることにより１つの開口により形成してもよい。
【００３８】
第２右側吐水口部３６ｒは、その第２右側吐水口部３６ｒの上端を形成する第２吐水口上壁３６ａと、その第２右側吐水口部３６ｒの下端に延びる第２吐水口垂下壁３６ｅと、その第２右側吐水口部３６ｒの前側の壁面を形成する第２吐水口前壁３６ｂと、その第２右側吐水口部３６ｒの後側の壁面を形成する第２吐水口後壁３６ｃとを備えている。
第２左側吐水口部３６ｌは、その第２左側吐水口部３６ｌの上端を形成する第２吐水口上壁３６ａと、その第２左側吐水口部３６ｌの下端に延びる第２吐水口垂下壁３６ｅと、その第２左側吐水口部３６ｌの前側の壁面を形成する第２吐水口前壁３６ｂと、その第２左側吐水口部３６ｌの後側の壁面を形成する第２吐水口後壁３６ｃとを備えている。
第２吐水口部３６は、第２右側吐水口部３６ｒの第２吐水口上壁３６ａと、第２左側吐水口部３６ｌの第２吐水口上壁３６ａとの間において、共通の第２吐水口前壁３６ｂと第２吐水口後壁３６ｃとの間のスプレッダ２８の下部において概ね扇形の第２開口通路３６ｄを形成している。
【００３９】
第２吐水口部３６は、鉛直下方から左右対称に約１１５°の位置に第２吐水口上壁３６ａが形成されている。従って、左右の第２吐水口上壁３６ａの間の角度Ａ２は約２３０°に形成されている。左右の第２吐水口上壁３６ａの間の角度Ａ２は、例えば、１９０°〜２５０°の範囲、好ましくは２１０°〜２３０°の範囲に形成されている。第２吐水口上壁３６ａは、第２吐水口部３６の第２開口通路３６ｄの上端を形成するので、第２吐水口部３６から吐水される洗浄水が左右の第２吐水口上壁３６ａに沿って吐水され、第２吐水口部３６から吐水される洗浄水の広がりの上縁を決定している。第２吐水口上壁３６ａは、左右外側に向かって水平より上方向きに延び、自身の外側が上方に向かうように形成されているので、第２吐水口部３６から第２吐水口上壁３６ａに沿って流出する洗浄水の上縁は、スプレッダ２８から斜め上方に上昇するように吐水される。
第２吐水口部３６は、左右の第２吐水口上壁３６ａの間の領域にわたって拡散するように洗浄水を吐水することができ、左右斜め上方から左右方向の左右両端近傍まで広がる水幕を形成することができる。
【００４０】
第２吐水口前壁３６ｂは、扇形に形成され、第２右側吐水口部３６ｒ及び第２左側吐水口部３６ｌの前面を形成し、第２供給通路４０から供給された洗浄水を、自身に衝突させてそれぞれの第２開口通路３６ｄの扇形領域に広がるように流すことができるようになっている。第２吐水口前壁３６ｂは、後方に向かって傾斜して形成されている。
第２吐水口後壁３６ｃは、その中央上部において第２供給通路４０と接続されている。この第２吐水口後壁３６ｃは、扇形に形成され、第２右側吐水口部３６ｒ及び第２左側吐水口部３６ｌの後面を形成し、第２吐水口前壁３６ｂとの間で、第２供給通路４０から供給された洗浄水を、第２吐水口部３６の扇形領域に広がるように流すことができるようになっている。第２吐水口後壁３６ｃは、第２吐水口前壁３６ｂと平行に延び、後方に向かって傾斜して形成されている。第２吐水口後壁３６ｃの後方への傾斜角は、第２吐水口後壁３６ｃの近傍のボウル面８の後方への傾斜角よりも大きくされている。よって、第２吐水口部３６から収納室６の前面７に向けて洗浄水が吐水されるようになっている。また、第１吐水口前壁３４ｂと、第１吐水口後壁３４ｃと、第２吐水口前壁３６ｂと、第２吐水口後壁３６ｃとは、平行な平面を形成している。
【００４１】
第２吐水口部３６は、スプレッダ２８の前方から見て、第１吐水口部３４と、第２吐水口部３６とが周方向に離間して隙間が形成されないように、自身の少なくとも一部が第１吐水口部３４と前後方向で重なるように配置されている。より具体的には、第２吐水口部３６は、スプレッダ２８の前方から見て、第１吐水口部３４を覆うように広範囲に吐水する開口部を形成している。また、第１吐水口部３４と、第２吐水口部３６とがスプレッダ２８の前後方向（厚み方向）に平行に並んで配置されているので、スプレッダ２８をコンパクトに形成することができる。
【００４２】
次に、本発明の実施形態による小便器の動作を説明する。
先ず、本発明の実施形態による小便器１による小便洗浄動作の流れのみを説明する。
通常、使用者が小便器１の前に立つと、人体検知センサ３０が使用者の存在を検出して検出情報を制御ユニット３２に送り、制御ユニット３２は使用者の存在を認識する。使用者が小便器１のボウル面８に放尿を終え、放尿を済ませた使用者が小便器１の前から立ち去り、人体検知センサ３０が非検出状態となると、制御ユニット３２は使用者が小便器１から立ち去ったと判断して、制御ユニット３２が小便洗浄を開始する。
【００４３】
制御ユニット３２は、小便洗浄動作においては、第２開閉弁２６に制御信号を送って第２開閉弁２６を開き、主給水管１４から供給される洗浄水を第２給水管１８から第２供給通路４０に供給させる。このとき、第２供給通路４０に供給される洗浄水の単位面積あたりの瞬間流量は、第２流量調整装置２４により上述の比較的低い瞬間流量の範囲に調整される。後述するように、１つの主給水管１４から、互いに異なる瞬間流量の洗浄水を供給する第１給水管１６及び第２給水管１８を通過して洗浄水がボウル面８に供給されることになる。第２供給通路４０に供給された洗浄水は、第２吐水口部３６において、第２吐水口前壁３６ｂに衝突するようにして拡散され、左右の第２吐水口上壁３６ａの間に広がるように流れる。第２吐水口部３６から吐水される洗浄水は、左右方向においては、左右の第２吐水口上壁３６ａの間から、上方まで広がるように吐出され、前後方向においては、第２吐水口前壁３６ｂと第２吐水口後壁３６ｃとの間からさらに後方側のボウル面８に向かって後方に吐出されている。図１及び図１２において、第２吐水口部３６から吐水される洗浄水の流れを矢印Ａによって示す。第２吐水口部３６内において上部の洗浄水は、水平から上り傾斜している第２吐水口上壁３６ａに沿って、左右斜め上方に上昇するように吐水される。
【００４４】
左右の第２吐水口上壁３６ａの間の角度は比較的大きく形成されているので、第２吐水口部３６から吐水される洗浄水は、ボウル面８の左右上方から中央下方まで広範囲に吐水される。また、第２吐水口部３６から吐水される洗浄水は、スプレッダ２８の左右斜め上方側の左右領域並びに、ボウル面８の中央領域より広範囲の左右領域まで広範囲にわたって洗浄することができる。この第２吐水口部３６から洗浄水が吐水される領域は、後述する第１吐水口部３４から洗浄水が吐水される領域を覆うような領域となっている。第２吐水口部３６から吐水される洗浄水は、比較的低い瞬間流量の洗浄水であるので、洗浄水がボウル面８の左右両端近傍まで到達して洗浄を行う一方、ボウル面８の左右両端を超えて外部に流出することなく、ボウル面８の左側端部８ｂ及び右側端部８ｃの両端近傍領域を洗浄しながら流下することができる。
【００４５】
このように、スプレッダ２８の第２吐水口部３６から吐水される洗浄水は、スプレッダ２８から放射状方向に、ボウル面８の面上を洗浄できない部分を生じさせないように広く広がるように流れ、ボウル面８を流下しながらボウル面８全体の良好な洗浄を行うことができる。洗浄水は、ボウル面８を流下し排出口１０より排出され、この下流の排水トラップ管路（図示せず）を通過し、さらに下流の排水配管（図示せず）に向かって流れる。
スプレッダ２８の第２吐水口部３６からの所定の瞬間流量の吐水が一定時間継続されると、制御ユニット３２は、第２開閉弁２６を閉止して、スプレッダ２８からの吐水を終了させ、小便洗浄動作を終了させる。
【００４６】
次に、本発明の実施形態による小便器１による設備保護洗浄動作の流れを説明する。
制御ユニット３２は、小便洗浄動作とは別に、設備保護洗浄動作を行う。
制御ユニット３２は、前回の設備保護洗浄が行われてから一定の経過時間が経過していること（例えば、前回の設備保護洗浄が行われてから２時間の経過時間が経過していること）の他、小便器１の使用回数が一定期間に一定回数に達していること等の使用条件を満たす場合に、設備保護洗浄動作を開始する。
【００４７】
制御ユニット３２は、設備保護洗浄動作において、第１開閉弁２２に制御信号を送って第１開閉弁２２を開き、主給水管１４から供給される洗浄水を第１給水管１６から第１供給通路３８に供給させる。このとき、第１供給通路３８に供給される洗浄水の瞬間流量は、第１流量調整装置２０により上述の比較的高い瞬間流量の範囲に調整される。第１供給通路３８に供給された洗浄水は、第１吐水口部３４において、第１吐水口前壁３４ｂに衝突するようにして拡散され、左右の第１吐水口上壁３４ａの間に広がるように流れる。第１吐水口部３４から吐水される洗浄水は、左右方向においては、左右の第１吐水口上壁３４ａの間から下方向きの扇形に広がるように吐出され、前後方向においては、第１吐水口前壁３４ｂと第１吐水口後壁３４ｃとの間からさらに後方側のボウル面８に向かって後方に吐出されている。図１及び図１１に示すように、第１吐水口部３４から吐水される洗浄水の流れを矢印Ｂによって示す。第１吐水口部３４内における上部の洗浄水は、水平から下り傾斜している第１吐水口上壁３４ａに沿って、左右斜め下方に流下するように吐水される。
【００４８】
左右の第１吐水口上壁３４ａの間の角度は比較的小さく形成されているので、第１吐水口部３４から吐水される洗浄水は、ボウル面８の中央付近の比較的狭い範囲に吐水される。従って、第１吐水口部３４から吐水される洗浄水は、比較的高い瞬間流量の洗浄水であるにもかかわらず、洗浄水がボウル面８の左側端部８ｂ及び右側端部８ｃの両端を超えて外部に流出することなく、ボウル面８の中央周辺の領域を洗浄しながら流下することができる。
【００４９】
このように、第１吐水口部３４から吐水される比較的高い瞬間流量の洗浄水が、排出口１０に流入する。比較的高い瞬間流量の洗浄水が、排出口１０の下流の排水トラップ管路（図示せず）を通過し、さらに下流の排水配管（図示せず）に向かって流れるので、水かさが上昇した洗浄水が、排水トラップ管路及び排水配管を洗浄しながら流れ、これら配管内の尿の排出及び陰毛等の異物を除去し、さらに尿石や異物を洗い流せ、バクテリアの増殖を抑制し、尿石の付着（発生）を抑制することができる。洗浄水が排水トラップ管路及び排水配管を長期間間隔をあけずに流れることで、尿石を発生させるバクテリアの増殖を抑制することができる。
スプレッダ２８の第１吐水口部３４からの所定の瞬間流量の吐水が一定時間継続されると、制御ユニット３２は、第１開閉弁２２を閉止して、スプレッダ２８からの吐水を終了させ、設備保護洗浄動作を終了させる。
【００５０】
次に、上述した本発明の実施形態による小便器の作用効果を説明する。
上述した本実施形態による小便器１によれば、第１吐水口部３４が比較的高い瞬間流量の洗浄水をボウル面８のほぼ中央領域に向けて吐水する。これにより、吐水された洗浄水が、ボウル面８の外部へ飛び出すことを防止することができると共に、小便器１の排水配管の尿の排出及び陰毛等の異物を除去することができ、小便器１の排水配管の設備保護洗浄をすることができる。
また、第２吐水口部３６が比較的低い瞬間流量の洗浄水をボウル面８のほぼ中央領域より広範囲の左右領域に広がるように吐水する。従って、吐水された洗浄水が、ボウル面８の外部へ飛び出すことを防止することができると共に、ボウル面８の中央領域より広範囲の左右領域まで広範囲にわたって洗浄することができる。
従って、小便器１を効果的に洗浄することができる。
【００５１】
また、本実施形態による小便器１においては、第２吐水口部３６の少なくとも一部が第１吐水口部３４と前後方向で重なるように配置されているので、第１吐水口部３４と第２吐水口部３６とを有するスプレッダ２８をコンパクトに形成することができると共に、スプレッダ２８の前方から見て、第１吐水口部３４から洗浄水が吐水される領域と、第２吐水口部３６から洗浄水が吐水される領域との間に、洗浄水が吐水されない隙間領域が生じることを防ぐことができる。従って、ボウル面８において洗浄が行われない部分を生じにくくすることができ、ボウル面８が洗浄不良となることを防ぐことができる。
【００５２】
また、本実施形態による小便器１においては、洗浄水が、第２吐水口部３６から、左右の第２吐水口上壁３６ａに沿って上方向きに吐水されることができ、スプレッダ２８の左右の斜め上方の領域までボウル面８を広範囲にわたって洗浄することができる。
【００５３】
また、本実施形態による小便器１においては、共通の主流路から供給される洗浄水の瞬間流量に対し、比較的簡易な構造で、第２供給通路４０の洗浄水の瞬間流量を、第１供給通路３８の洗浄水の瞬間流量よりも低く調整することができ、第２吐水口部３６から吐水される洗浄水の瞬間流量を、第１吐水口部３４から吐水される洗浄水の瞬間流量よりも低く設定することができる。
【００５４】
また、本実施形態による小便器１においては、第２吐水口部３６から吐水された洗浄水が、第１吐水口部３４の吐水範囲を全て含むように、ボウル面８全体を広範囲にわたって洗浄することができる。
【００５５】
また、本実施形態による小便器１においては、制御ユニット３２は、使用者が小便器１を使用したときに洗浄水を第２吐水口部３６から吐水させることができ、ボウル面８の中央領域より広範囲の左右領域まで広範囲にわたって洗浄することができる。また、制御ユニット３２は、使用者が小便器１を使用したときとは別に、所定時間が経過する毎に洗浄水を第１吐水口部３４から吐水させることができ、小便器１の排水配管の尿の排出及び陰毛等の異物を除去することができ、小便器１の排水配管の設備保護洗浄をすることができる。
【符号の説明】
【００５６】
１      小便器
８      ボウル面
８ａ    正面部
１４    主給水管
１６    第１給水管
１８    第２給水管
２０    第１流量調整装置
２２    第１開閉弁
２４    第２流量調整装置
２６    第２開閉弁
２８    スプレッダ
３２    制御ユニット
３４    第１吐水口部
３４ａ  第１吐水口上壁
３６    第２吐水口部
３６ａ  第２吐水口上壁
３８    第１供給通路
４０    第２供給通路
Ａ      洗浄水の流れ
Ｂ      洗浄水の流れ
【図１】
2015190246.tif 000003
【図２】
2015190246.tif 000004
【図３】
2015190246.tif 000005
【図４】
2015190246.tif 000006
【図５】
2015190246.tif 000007
【図６】
2015190246.tif 000008
【図７】
2015190246.tif 000009
【図８】
2015190246.tif 000010
【図９】
2015190246.tif 000011
【図１０】
2015190246.tif 000012
【図１１】
2015190246.tif 000013
【図１２】
2015190246.tif 000014